(57)【要約】【課題】  加工費が安くて部品の歩留り率が良く組立ミスが生じないようにすること。【解決手段】  磁気ヘッド１，２を支持板３及び固定板４を介して支持する係合片７をシャーシ１１の係合孔１３に係合させると共に、前記固定板４に一体形成した基板部８から外方に突出する位置決め片１７の係合部１７Ｃをシャーシ１１の位置決め孔１２に係合させ、シャーシ１１のねじ孔１４にねじ込んだビス１５の雄ねじ部１５ａの外周面をビス挿通孔９の内側面に当接させることにより、位置決め片１７の中央部１７Ｂの両側縁１７ｂ，１７ｃを位置決め孔１２の内側面に当接させる。【選択図】        図１
0003104034.tif 000002
【実用新案登録請求の範囲】
【請求項１】
音声消去及び音声・コントロール用の磁気ヘッドを支持する支持板と
シャーシに固定される固定板とが複数の調整ねじ及び調整ばねにより一体的に連結され、
前記固定板から略直角に折れ曲がる左右一対の脚部が左右方向に互いに所定間隔をおいて
設けられ、その一方の脚部の下端から略Ｌ字状に折れ曲がって左右方向とは直交する前後
方向に沿って外方に突出する係合片が設けられると共に、その他方の脚部の下端から略直
角に折れ曲がって左右方向に沿って外方に突出する基板部が設けられ、該基板部の前後方
向に沿って対向する一方端部にビス挿通孔が貫設されその他方端部にリング状位置決め部
が突設され、前記シャーシに円形状位置決め孔、係合孔及びねじ孔がそれぞれ形成されて
おり、前記係合片を係合孔に係合させると共に、前記位置決め部を位置決め孔に嵌入させ
、前記ビス挿通孔を通ってねじ孔にビスをねじ込んで前記基板部をシャーシに固定するよ
うにした磁気ヘッド装置において、前記リング状位置決め部に代えて、前記基板部の他方
端部から前後方向に沿って外方に突出する後端部と、該後端部の先端から下向きに略直角
に折れ曲がる中央部と、該中央部の先端から略Ｌ字状に折れ曲がって前後方向に沿って外
方に突出する係合部とからなる弾性変位可能な位置決め片が用いられ、前記係合部の先端
縁と後端部の下面との間の間隔がシャーシの厚さよりも若干小さく設定され、前記ビスと
してビス軸体の全体に雄ねじ部を形成したものが用いられており、前記係合片を係合孔に
係合させると共に、前記位置決め片の係合部を位置決め孔に係合させ、前記ねじ孔にねじ
込んだビスの雄ねじ部の外周面をビス挿通孔の内側面に当接させることにより、前記位置
決め片の中央部の両側縁を位置決め孔の内側面に当接させることを特徴とする磁気ヘッド
装置。
【請求項２】
音声消去及び音声・コントロール用の磁気ヘッドを支持する支持板と
シャーシに固定される固定板とが複数の調整ねじ及び調整ばねにより一体的に連結され、
前記固定板から略直角に折れ曲がる左右一対の脚部が左右方向に互いに所定間隔をおいて
設けられ、その一方の脚部の下端から略Ｌ字状に折れ曲がって左右方向とは直交する前後
方向に沿って外方に突出する係合片が設けられると共に、その他方の脚部の下端から略直
角に折れ曲がって左右方向に沿って外方に突出する基板部が設けられ、該基板部の前後方
向に沿って対向する一方端部にビス挿通孔が貫設されその他方端部にリング状位置決め部
が突設され、前記シャーシに円形状位置決め孔、係合孔及びねじ孔がそれぞれ形成されて
おり、前記係合片を係合孔に係合させると共に、前記位置決め部を位置決め孔に嵌入させ
、前記ビス挿通孔を通ってねじ孔にビスをねじ込んで前記基板部をシャーシに固定するよ
うにした磁気ヘッド装置において、前記リング状位置決め部に代えて、前記基板部の他方
端部から前後方向に沿って外方に突出する後端部と、該後端部の先端から下向きに略直角
に折れ曲がる中央部と、該中央部の先端から略Ｌ字状に折れ曲がって前後方向に沿って外
方に突出する係合部とからなる弾性変位可能な位置決め片が用いられ、前記係合部の先端
縁と後端部の下面との間の間隔がシャーシの厚さよりも若干小さく設定され、前記ビスと
してビス軸体の上側に円柱部を形成しそのビス軸体の下側に雄ねじ部を形成したものが用
いられており、前記係合片を係合孔に係合させると共に、前記位置決め片の係合部を位置
決め孔に係合させ、前記ねじ孔にねじ込んだビスの円柱部の外周面をビス挿通孔の内側面
に当接させることにより、前記位置決め片の中央部の両側縁を位置決め孔の内側面に当接
させることを特徴とする磁気ヘッド装置。
【請求項３】
音声消去及び音声・コントロール用の磁気ヘッドを支持する支持板と
シャーシに固定される固定板とが複数の調整ねじ及び調整ばねにより一体的に連結され、
前記固定板から略直角に折れ曲がる左右一対の脚部が左右方向に互いに所定間隔をおいて
設けられ、その一方の脚部の下端から略Ｌ字状に折れ曲がって左右方向とは直交する前後
方向に沿って外方に突出する係合片が設けられると共に、その他方の脚部の下端から略直
角に折れ曲がって左右方向に沿って外方に突出する基板部が設けられ、該基板部の前後方
向に沿って対向する一方端部にビス挿通孔が貫設されその他方端部にリング状位置決め部
が突設され、前記シャーシに円形状位置決め孔、係合孔及びねじ孔がそれぞれ形成されて
おり、前記係合片を係合孔に係合させると共に、前記位置決め部を位置決め孔に嵌入させ
、前記ビス挿通孔を通ってねじ孔にビスをねじ込んで前記基板部をシャーシに固定するよ
うにした磁気ヘッド装置において、前記リング状位置決め部に代えて、前記基板部の他方
端部から前後方向に沿って外方に突出する後端部と、該後端部の先端から下向きに略直角
に折れ曲がる中央部と、該中央部の先端から略Ｌ字状に折れ曲がって前後方向に沿って外
方に突出する係合部とからなる弾性変位可能な位置決め片が用いられ、前記係合部の先端
縁と後端部の下面との間の間隔がシャーシの厚さよりも若干小さく設定され、前記ビスと
してビス頭部を皿状に形成した皿ビスが用いられ、前記ビス挿通孔の上縁を面取りしてテ
ーパ面が形成されており、前記係合片を係合孔に係合させると共に、前記位置決め片の係
合部を位置決め孔に係合させ、前記ねじ孔にねじ込んだ皿ビスの頭部傾斜面をビス挿通孔
のテーパ面に当接させることにより、前記位置決め片の中央部の両側縁を位置決め孔の内
側面に当接させることを特徴とする磁気ヘッド装置。
【請求項４】
磁気ヘッドを支持する支持板とシャーシに固定される固定板とが複数
の調整ねじ及び調整ばねにより一体的に連結され、前記固定板から略直角に折れ曲がる左
右一対の脚部のうち、その一方の脚部の下端から略Ｌ字状に折れ曲がって外方に突出する
係合片が設けられると共に、その他方の脚部の下端から略直角に折れ曲がって外方に突出
する基板部が設けられ、該基板部の一方端部にビス挿通孔が貫設されその他方端部に位置
決め部が設けられており、前記係合片及び位置決め部をシャーシに係合させ、前記ビス挿
通孔を通ってねじ孔にビスをねじ込んで前記基板部をシャーシに固定するようにした磁気
ヘッド装置において、前記位置決め部が、前記基板部の他方端部から外方に突出する後端
部と、該後端部の先端から下向きに略直角に折れ曲がる中央部と、該中央部の先端から略
Ｌ字状に折れ曲がって外方に突出する係合部とからなる弾性変位可能な位置決め片からな
り、前記シャーシの係合孔に係合片を係合させると共に、該シャーシの位置決め孔に位置
決め片の係合部を係合させ、前記ねじ孔にねじ込んだビスのビス軸体の外周面をビス挿通
孔の内側面に当接させることにより、前記位置決め片の中央部の両側縁を位置決め孔の内
側面に当接させることを特徴とする磁気ヘッド装置。
【請求項５】
前記位置決め片の係合部の先端縁と後端部の下面との間の間隔がシャ
ーシの厚さよりも若干小さく設定されていることを特徴とする請求項４に記載の磁気ヘッ
ド装置。
【請求項６】
前記ビスとしてビス軸体の全体に雄ねじ部を形成したものが用いられ
ており、ねじ孔にねじ込んだビスの雄ねじ部の外周面をビス挿通孔の内側面に当接させる
ことにより、位置決め片の中央部の両側縁を位置決め孔の内側面に当接させることを特徴
とする請求項４または５に記載の磁気ヘッド装置。
【請求項７】
前記ビスとしてビス軸体の上側に円柱部を形成しそのビス軸体の下側
に雄ねじ部を形成したものが用いられており、ねじ孔にねじ込んだビスの円柱部の外周面
をビス挿通孔の内側面に当接させることにより、位置決め片の中央部の両側縁を位置決め
孔の内側面に当接させることを特徴とする請求項４または５に記載の磁気ヘッド装置。
【請求項８】
前記ビスとしてビス頭部を皿状に形成した皿ビスが用いられており、
ねじ孔にねじ込んだ皿ビスの頭部傾斜面をビス挿通孔の上縁に当接させることにより、位
置決め片の中央部の両側縁を位置決め孔の内側面に当接させることを特徴とする請求項４
または５に記載の磁気ヘッド装置。
【請求項９】
前記ビス挿通孔の上縁を面取りしてテーパ面が形成されており、ねじ
孔にねじ込んだ皿ビスの頭部傾斜面をテーパ面に当接させるようにしたことを特徴とする
請求項８に記載の磁気ヘッド装置。
【請求項１０】
前記位置決め孔の内側面に２つの傾斜面が所定の対向角度をおいて
略Ｖ字状に形成されており、その両傾斜面に位置決め片の中央部の両側縁を当接させるよ
うにしたことを特徴とする請求項１〜９のいずれかに記載の磁気ヘッド装置。
【考案の詳細な説明】
【技術分野】
【０００１】
本考案は、例えば磁気テープ装置における音声消去及び音声・コントロール用の磁気ヘ
ッドを所定通りに簡単確実に位置決め固定することができるようにした磁気ヘッド装置に
関する。
【背景技術】
【０００２】
従来、磁気ヘッド装置の技術として特許文献１などの記載したものがあり、その一例を
図８〜図１１に基づいて説明すると、これは、音声消去用磁気ヘッド１及び音声・コント
ロール用磁気ヘッド２を支持する支持板３と固定板４とが複数の調整ねじ５及び調整ばね
６により一体的に連結され、固定板４から略直角に折れ曲がる左右一対の脚部４ａ，４ｂ
が左右方向ａ，ｂに互いに所定間隔をおいて設けられ、その一方の脚部４ａの下端から略
Ｌ字状に折れ曲がって左右方向ａ，ｂとは直交する前後方向ｃ，ｄに沿って外方に突出す
る係合片７が設けられると共に、その他方の脚部４ｂの下端から略直角に折れ曲がって左
右方向ａ，ｂに沿って外方に突出する基板部８が設けられ、該基板部８の前後方向ｃ，ｄ
に沿って対向する一方端部にビス挿通孔９が貫設されその他方端部にバーリング加工によ
りリング状位置決め部１０が突設され、シャーシ１１に円形状位置決め孔１２、矩形状係
合孔１３及びねじ孔１４がそれぞれ形成され、前記位置決め部１０の外径ｈが位置決め孔
１２の内径Ｈよりもわずかに小さく設定されている。なお、ｔは磁気ヘッド１，２に当接
させた磁気テープである。
【０００３】
磁気ヘッド１，２の位置決め手順を説明すると、係合片７を係合孔１３に嵌入させると
共に、位置決め部１０を位置決め孔１２に嵌入させ、ビス挿通孔９を通ってねじ孔１４に
ビス１５をねじ込んで基板部８をシャーシ１１に固定し、これによって、磁気ヘッド１，
２を前後左右方向ａ〜ｄに位置決めしてシャーシ１１上に固定する。
【特許文献１】特開２００１−２３６６１７号公報
【考案の開示】
【考案が解決しようとする課題】
【０００４】
上記従来の構成では、位置決め部１０を垂直方向ｅ，ｆに沿って規制するものがないの
で、図１０（ｂ）に示すように、位置決め部１０が組立ミスにより位置決め孔１２から外
れ、それを目視検査で見過ごして不良品とされる場合がある。また、位置決め部１０の外
径ｈと位置決め孔１２の内径Ｈとがほぼ同じに設定されているから、その両者１０，１２
を精密に加工する必要があり、その精密加工に手間がかかって、加工費が高くつく。更に
、加工誤差により前記位置決め部１０の外径ｈがわずかに大きくなったり、位置決め孔１
２の内径Ｈがわずかに小さくなって、その位置決め部１０を位置決め孔１２内に嵌入させ
ることが困難になることがあり、部品の歩留り率が悪い。
【０００５】
本考案は、上記従来の欠点に鑑み、加工費が安くて部品の歩留り率が良く組立ミスが生
じないようにした磁気ヘッド装置を提供することを目的としている。
【課題を解決するための手段】
【０００６】
上記目的を達成するため、請求項１に記載の考案は、音声消去及び音声・コントロール
用の磁気ヘッドを支持する支持板とシャーシに固定される固定板とが複数の調整ねじ及び
調整ばねにより一体的に連結され、前記固定板から略直角に折れ曲がる左右一対の脚部が
左右方向に互いに所定間隔をおいて設けられ、その一方の脚部の下端から略Ｌ字状に折れ
曲がって左右方向とは直交する前後方向に沿って外方に突出する係合片が設けられると共
に、その他方の脚部の下端から略直角に折れ曲がって左右方向に沿って外方に突出する基
板部が設けられ、該基板部の前後方向に沿って対向する一方端部にビス挿通孔が貫設され
その他方端部にリング状位置決め部が突設され、前記シャーシに円形状位置決め孔、係合
孔及びねじ孔がそれぞれ形成されており、前記係合片を係合孔に係合させると共に、前記
位置決め部を位置決め孔に嵌入させ、前記ビス挿通孔を通ってねじ孔にビスをねじ込んで
前記基板部をシャーシに固定するようにした磁気ヘッド装置において、前記リング状位置
決め部に代えて、前記基板部の他方端部から前後方向に沿って外方に突出する後端部と、
該後端部の先端から下向きに略直角に折れ曲がる中央部と、該中央部の先端から略Ｌ字状
に折れ曲がって前後方向に沿って外方に突出する係合部とからなる弾性変位可能な位置決
め片が用いられ、前記係合部の先端縁と後端部の下面との間の間隔がシャーシの厚さより
も若干小さく設定され、前記ビスとしてビス軸体の全体に雄ねじ部を形成したものが用い
られており、前記係合片を係合孔に係合させると共に、前記位置決め片の係合部を位置決
め孔に係合させ、前記ねじ孔にねじ込んだビスの雄ねじ部の外周面をビス挿通孔の内側面
に当接させることにより、前記位置決め片の中央部の両側縁を位置決め孔の内側面に当接
させることを特徴としている。
【０００７】
請求項２に記載の考案は、音声消去及び音声・コントロール用の磁気ヘッドを支持する
支持板とシャーシに固定される固定板とが複数の調整ねじ及び調整ばねにより一体的に連
結され、前記固定板から略直角に折れ曲がる左右一対の脚部が左右方向に互いに所定間隔
をおいて設けられ、その一方の脚部の下端から略Ｌ字状に折れ曲がって左右方向とは直交
する前後方向に沿って外方に突出する係合片が設けられると共に、その他方の脚部の下端
から略直角に折れ曲がって左右方向に沿って外方に突出する基板部が設けられ、該基板部
の前後方向に沿って対向する一方端部にビス挿通孔が貫設されその他方端部にリング状位
置決め部が突設され、前記シャーシに円形状位置決め孔、係合孔及びねじ孔がそれぞれ形
成されており、前記係合片を係合孔に係合させると共に、前記位置決め部を位置決め孔に
嵌入させ、前記ビス挿通孔を通ってねじ孔にビスをねじ込んで前記基板部をシャーシに固
定するようにした磁気ヘッド装置において、前記リング状位置決め部に代えて、前記基板
部の他方端部から前後方向に沿って外方に突出する後端部と、該後端部の先端から下向き
に略直角に折れ曲がる中央部と、該中央部の先端から略Ｌ字状に折れ曲がって前後方向に
沿って外方に突出する係合部とからなる弾性変位可能な位置決め片が用いられ、前記係合
部の先端縁と後端部の下面との間の間隔がシャーシの厚さよりも若干小さく設定され、前
記ビスとしてビス軸体の上側に円柱部を形成しそのビス軸体の下側に雄ねじ部を形成した
ものが用いられており、前記係合片を係合孔に係合させると共に、前記位置決め片の係合
部を位置決め孔に係合させ、前記ねじ孔にねじ込んだビスの円柱部の外周面をビス挿通孔
の内側面に当接させることにより、前記位置決め片の中央部の両側縁を位置決め孔の内側
面に当接させることを特徴としている。
【０００８】
請求項３に記載の考案は、音声消去及び音声・コントロール用の磁気ヘッドを支持する
支持板とシャーシに固定される固定板とが複数の調整ねじ及び調整ばねにより一体的に連
結され、前記固定板から略直角に折れ曲がる左右一対の脚部が左右方向に互いに所定間隔
をおいて設けられ、その一方の脚部の下端から略Ｌ字状に折れ曲がって左右方向とは直交
する前後方向に沿って外方に突出する係合片が設けられると共に、その他方の脚部の下端
から略直角に折れ曲がって左右方向に沿って外方に突出する基板部が設けられ、該基板部
の前後方向に沿って対向する一方端部にビス挿通孔が貫設されその他方端部にリング状位
置決め部が突設され、前記シャーシに円形状位置決め孔、係合孔及びねじ孔がそれぞれ形
成されており、前記係合片を係合孔に係合させると共に、前記位置決め部を位置決め孔に
嵌入させ、前記ビス挿通孔を通ってねじ孔にビスをねじ込んで前記基板部をシャーシに固
定するようにした磁気ヘッド装置において、前記リング状位置決め部に代えて、前記基板
部の他方端部から前後方向に沿って外方に突出する後端部と、該後端部の先端から下向き
に略直角に折れ曲がる中央部と、該中央部の先端から略Ｌ字状に折れ曲がって前後方向に
沿って外方に突出する係合部とからなる弾性変位可能な位置決め片が用いられ、前記係合
部の先端縁と後端部の下面との間の間隔がシャーシの厚さよりも若干小さく設定され、前
記ビスとしてビス頭部を皿状に形成した皿ビスが用いられ、前記ビス挿通孔の上縁を面取
りしてテーパ面が形成されており、前記係合片を係合孔に係合させると共に、前記位置決
め片の係合部を位置決め孔に係合させ、前記ねじ孔にねじ込んだ皿ビスの頭部傾斜面をビ
ス挿通孔のテーパ面に当接させることにより、前記位置決め片の中央部の両側縁を位置決
め孔の内側面に当接させることを特徴としている。
【０００９】
請求項４に記載の考案は、磁気ヘッドを支持する支持板とシャーシに固定される固定板
とが複数の調整ねじ及び調整ばねにより一体的に連結され、前記固定板から略直角に折れ
曲がる左右一対の脚部のうち、その一方の脚部の下端から略Ｌ字状に折れ曲がって外方に
突出する係合片が設けられると共に、その他方の脚部の下端から略直角に折れ曲がって外
方に突出する基板部が設けられ、該基板部の一方端部にビス挿通孔が貫設されその他方端
部に位置決め部が設けられており、前記係合片及び位置決め部をシャーシに係合させ、前
記ビス挿通孔を通ってねじ孔にビスをねじ込んで前記基板部をシャーシに固定するように
した磁気ヘッド装置において、前記位置決め部が、前記基板部の他方端部から外方に突出
する後端部と、該後端部の先端から下向きに略直角に折れ曲がる中央部と、該中央部の先
端から略Ｌ字状に折れ曲がって外方に突出する係合部とからなる弾性変位可能な位置決め
片からなり、前記シャーシの係合孔に係合片を係合させると共に、該シャーシの位置決め
孔に位置決め片の係合部を係合させ、前記ねじ孔にねじ込んだビスのビス軸体の外周面を
ビス挿通孔の内側面に当接させることにより、前記位置決め片の中央部の両側縁を位置決
め孔の内側面に当接させることを特徴としている。
【００１０】
請求項５に記載の考案は、請求項４に記載の考案において、前記位置決め片の係合部の
先端縁と後端部の下面との間の間隔がシャーシの厚さよりも若干小さく設定されているこ
とを特徴としている。
【００１１】
請求項６に記載の発明は、請求項４または５に記載の考案において、前記ビスとしてビ
ス軸体の全体に雄ねじ部を形成したものが用いられており、ねじ孔にねじ込んだビスの雄
ねじ部の外周面をビス挿通孔の内側面に当接させることにより、位置決め片の中央部の両
側縁を位置決め孔の内側面に当接させることを特徴としている。
【００１２】
請求項７に記載の考案は、請求項４または５に記載の考案において、前記ビスとしてビ
ス軸体の上側に円柱部を形成しそのビス軸体の下側に雄ねじ部を形成したものが用いられ
ており、ねじ孔にねじ込んだビスの円柱部の外周面をビス挿通孔の内側面に当接させるこ
とにより、位置決め片の中央部の両側縁を位置決め孔の内側面に当接させることを特徴と
している。
【００１３】
請求項８に記載の考案は、請求項４または５に記載の考案において、前記ビスとしてビ
ス頭部を皿状に形成した皿ビスが用いられており、ねじ孔にねじ込んだ皿ビスの頭部傾斜
面をビス挿通孔の上縁に当接させることにより、位置決め片の中央部の両側縁を位置決め
孔の内側面に当接させることを特徴としている。
【００１４】
請求項９に記載の考案は、請求項８に記載の考案において、前記ビス挿通孔の上縁を面
取りしてテーパ面が形成されており、ねじ孔にねじ込んだ皿ビスの頭部傾斜面をテーパ面
に当接させるようにしたことを特徴としている。
【００１５】
請求項１０記載の考案は、請求項１〜９のいずれかに記載の考案において、前記位置決
め孔の内側面に２つの傾斜面が所定の対向角度をおいて略Ｖ字状に形成されており、その
両傾斜面に位置決め片の中央部の両側縁を当接させるようにしたことを特徴としている。
【考案の効果】
【００１６】
請求項１に記載の考案は第１の実施の形態（図１〜図４）に対応するものであって、こ
れによれば、位置決め片の係合部を位置決め孔に係合させ、ねじ孔にねじ込んだビスの雄
ねじ部の外周面をビス挿通孔の内側面に当接させることにより、前記位置決め片の中央部
の両側縁を位置決め孔の内側面に当接させ、その三角形を形成する３つの当接点で基板部
を３点支持して、磁気ヘッドを所定通りに位置決め固定するものであって、この場合、前
記位置決め片に比べて位置決め孔の内径を大きく設定することができるから、その位置決
め片及び位置決め孔を従来のように精密に加工する必要がなく、加工費が安くつくと共に
、前記位置決め片を位置決め孔に容易に嵌入させることができ、部品の歩留り率も向上す
る。また、係合部を位置決め孔に係合させることにより、位置決め片の垂直方向への移動
が規制されるから、その位置決め片が組立ミスにより位置決め孔から外れて不良品とされ
るのを防ぐことができる。
【００１７】
また、位置決め片の係合部の先端縁と後端部の下面との間の間隔がシャーシの厚さより
も若干小さく設定されており、係合部を位置決め孔に係合させることにより、該係合部の
先端縁がシャーシの下面に押し付けられて弾性変位されるから、その弾性変位により生じ
た押下力で基板部を浮き上がらないようにシャーシの上面に密着させて、磁気ヘッドを垂
直方向に位置ずれしないように所定通りに位置決めすることができる。
【００１８】
ここで特に、ビスとしてビス軸体の全体に雄ねじ部を形成した市販の安価なビスを用い
ることができ、これによって、製作費を一層安くすることができる。
【００１９】
請求項２に記載の考案は、第２の実施の形態（図５参照）を示すものであって、請求項
１に記載の考案とほぼ同様の効果を得ることができ、特に、ビス軸体の上側に形成した円
柱部をビス挿通孔の内側面に当接させるようになっているから、基板部を安定的に３点支
持することができる。
【００２０】
請求項３に記載の考案は、第３の実施の形態（図６参照）を示すものであって、請求項
１に記載の考案とほぼ同様の効果を得ることができ、特に、皿ビスの頭部傾斜面をビス挿
通孔の上縁に形成したテーパ面に当接させて基板部を位置決め片側に押圧し、その押圧力
で位置決め片の中央部の両側縁を位置決め孔の内側面に押し付けるから、該基板部を３方
向から挟み付けて所定通りに確実に位置決め固定することができ、しかも、前記テーパ面
により皿ビスの頭部傾斜面とビス挿通孔との当接範囲を広げているから、基板部を位置決
め片側に一層確実に押圧することができる。
【００２１】
請求項４に記載の考案は基本形態を示すものであって、これによれば、位置決め片の係
合部を位置決め孔に係合させ、ねじ孔にねじ込んだビスのビス軸体の外周面をビス挿通孔
の内側面に当接させることにより、前記位置決め片の中央部の両側縁を位置決め孔の内側
面に当接させ、その三角形を形成する３つの当接点で基板部を３点支持して、磁気ヘッド
を所定通りに位置決め固定するものであって、この場合、前記位置決め片に比べて位置決
め孔の内径を大きく設定することができるから、その位置決め片及び位置決め孔を従来の
ように精密に加工する必要がなく、加工費が安くつくと共に、前記位置決め片を位置決め
孔に容易に嵌入させることができ、部品の歩留り率も向上する。また、係合部を位置決め
孔に係合させることにより、位置決め片の垂直方向への移動が規制されるから、その位置
決め片が組立ミスにより位置決め孔から外れて不良品とされるのを防ぐことができる。
【００２２】
請求項５に記載の考案によれば、位置決め片の係合部の先端縁と後端部の下面との間の
間隔がシャーシの厚さよりも若干小さく設定されており、係合部を位置決め孔に係合させ
ることにより、該係合部の先端縁がシャーシの下面に押し付けられて弾性変位されるから
、その弾性変位により生じた押下力で基板部を浮き上がらないようにシャーシの上面に密
着させて、磁気ヘッドを垂直方向に位置ずれしないように所定通りに位置決めすることが
できる。
【００２３】
請求項６に記載の考案によれば、ビスとしてビス軸体の全体に雄ねじ部を形成した市販
の安価なビスを用いることができ、これによって、製作費を一層安くすることができる。
【００２４】
請求項７に記載の考案によれば、ビス軸体の上側に形成した円柱部をビス挿通孔の内側
面に当接させるようになっているから、基板部を安定的に３点支持することができる。
【００２５】
請求項８に記載の考案によれば、皿ビスの頭部傾斜面をビス挿通孔の上縁に当接させて
基板部を位置決め片側に押圧し、その押圧力で位置決め片の中央部の両側縁を位置決め孔
の内側面に押し付けるから、該基板部を３方向から挟み付けて所定通りに確実に位置決め
固定することができる。
【００２６】
請求項９に記載の考案によれば、テーパ面により皿ビスの頭部傾斜面とビス挿通孔との
当接範囲を広げているから、基板部を位置決め片側に一層確実に押圧することができる。
【００２７】
請求項１０に記載の考案によれば、位置決め孔の内側面に略Ｖ字状に形成した両傾斜面
に対して位置決め片の中央部の両側縁を食い込むように当接させるので、その２つの当接
点で基板部を確実に押さえることができる。
【考案を実施するための最良の形態】
【００２８】
図１〜図４は本考案の第１の実施の形態である磁気ヘッド装置を示すものであって、基
板部８の他方端部から前後方向ｃ，ｄに沿って外方に突出する後端部１７Ａと、該後端部
１７Ａの先端から下向きに略直角に折れ曲がる中央部１７Ｂと、該中央部１７Ｂの先端か
ら略Ｌ字状に折れ曲がって前後方向ｃ，ｄに沿って外方に斜め上方に突出する係合部１７
Ｃとからなる弾性変位可能な位置決め片（位置決め部）１７が設けられ、前記係合部１７
Ｃの先端縁１７ａと後端部１７Ａの下面との間の間隔ｔがシャーシ１１の厚さＴよりも若
干小さく設定され（図２参照）、位置決め片１７に対向してシャーシ１１に該位置決め片
１７よりも内径Ｈを大きく設定した位置決め孔１２が形成され、ビス１５としてビス軸体
１５Ａの全体に雄ねじ部１５ａを形成したものが用いられている。上記以外の構成は図８
〜図１１に示す構成とほぼ同じであるので、同一部分に同一符号を付してその説明を省略
する。
【００２９】
磁気ヘッド１，２の位置決め手順を説明すると、係合片７を係合孔１３に係合させると
共に、位置決め片１７の係合部１７Ｃを位置決め孔１２に係合させ、ねじ孔１４にねじ込
んだビス１５の雄ねじ部１５ａの外周面をビス挿通孔９の内側面に当接（Ｅ１）させるこ
とにより（図４参照）、位置決め片１７の中央部１７Ｂの両側縁１７ｂ，１７ｃを位置決
め孔１２の内側面に当接（Ｅ２，Ｅ３）させ、これによって、磁気ヘッド１，２を前後左
右方向ａ〜ｄ及び垂直方向ｅ，ｆに位置決めしてシャーシ１１上に固定する。
【００３０】
上記構成によれば、三角形Ｄを形成する３つの当接点Ｅ１〜Ｅ３で基板部を３点支持し
て、磁気ヘッドを所定通りに位置決め固定しており、この場合、位置決め片１７に比べて
位置決め孔１２の内径Ｈを大きく設定することができるから、その位置決め片１７及び位
置決め孔１２を従来のように精密に加工する必要がなく、加工費が安くつくと共に、前記
位置決め片１７を位置決め孔１２に容易に嵌入させることができ、部品の歩留り率も向上
する。また、係合部１７Ｃを位置決め孔１２に係合させることにより、位置決め片１７の
垂直方向ｅ，ｆへの移動が規制されるから、その位置決め片１７が組立ミスにより位置決
め孔１２から外れて不良品とされるのを防ぐことができる。
【００３１】
また、係合部１７Ｃを位置決め孔１２に係合させることにより、該係合部１７Ｃの先端
縁１７ａがシャーシ１１の下面に押し付けられて弾性変位されるから、その弾性変位によ
り生じた押下力Ｆ１で基板部８を浮き上がらないようにシャーシ１１の上面に密着させて
、磁気ヘッド１，２を垂直方向ｅ，ｆに位置ずれしないように所定通りに位置決めするこ
とができる。更に、係合片７及び位置決め片１７が同じ方向（ｃ）に突出されているので
、その両者７，１７をシャーシ１１に容易に係合させることができる。
【００３２】
ここで特に、ビス１５としてビス軸体１５Ａの全体に雄ねじ部１５ａを形成した市販の
安価なビスを用いることができ、これによって、製作費を一層安くすることができる。
【００３３】
図５は本考案の第２の実施の形態である磁気ヘッド装置の要部を示すものであって、ビ
ス１５としてビス軸体１５Ａの上側に円柱部１５ｂを形成しそのビス軸体１５Ａの下側に
雄ねじ部１５ａを形成したものが用いられており、位置決め片１７の係合部１７Ｃを位置
決め孔１２に係合させ、ねじ孔１４にねじ込んだビス１５の円柱部１５ｂの外周面をビス
挿通孔９の内側面に当接（Ｅ１）させることにより、位置決め片１７の中央部１７Ｂの両
側縁１７ｂ，１７ｃを位置決め孔１２の内側面に当接（Ｅ２、Ｅ３）させている。上記以
外の構成は第１の実施の形態（図１〜図４）とほぼ同じであるから、同一部分に同一符号
を付して、その説明を省略する。
【００３４】
上記構成によれば、第１の実施の形態とほぼ同様の効果を得ることができ、特に、ビス
軸体１５Ａの上側に形成した円柱部１５ｂをビス挿通孔９の内側面に当接（Ｅ１）させる
ようになっているから、基板部８を安定的に３点支持することができる。
【００３５】
図６は本考案の第３の実施の形態である磁気ヘッド装置の要部を示すものであって、ビ
ス１５としてビス頭部１５Ｂを皿状に形成した皿ビスが用いられ、ビス挿通孔９の上縁を
面取りしてテーパ面９ａが形成されており、位置決め片１７の係合部１７Ｃを位置決め孔
１２に係合させ、ねじ孔１４にねじ込んだ皿ビス１５の頭部傾斜面１５ｃをビス挿通孔９
のテーパ面９ａに当接（Ｅ１）させることにより、位置決め片１７の中央部１７Ｂの両側
縁１７ｂ，１７ｃを位置決め孔１２の内側面に当接（Ｅ２、Ｅ３）させている。上記以外
の構成は第１の実施の形態（図１〜図４）とほぼ同じであるから、同一部分に同一符号を
付して、その説明を省略する。
【００３６】
上記構成によれば、第１の実施の形態とほぼ同様の効果を得ることができ、特に、皿ビ
ス１５の頭部傾斜面１５ｃをビス挿通孔９の上縁に形成したテーパ面９ａに当接（Ｅ１）
させて基板部８を位置決め片１７に押圧し、その押圧力Ｆ２で位置決め片１７の中央部１
７Ｂの両側縁１７ｂ，１７ｃを位置決め孔１２の内側面に押し付けて当接（Ｅ２、Ｅ３）
させるから、該基板部８を３方向から挟み付けて所定通りに確実に位置決め固定すること
ができ、しかも、テーパ面９ａにより皿ビス１５の頭部傾斜面１５ｃとビス挿通孔９との
当接範囲を広げているから、基板部８を位置決め片１７側に一層確実に押圧することがで
きる。
【００３７】
上記の各実施の形態では、位置決め孔１２を円形に形成したが、これに限定されるわけ
ではなく、図７に示すように、位置決め孔１２を例えば平面視五角形とし、該位置決め孔
１２の内側面に２つの傾斜面１２ａを略Ｖ字状に形成し、その両傾斜面１２ａに位置決め
片１７の中央部１７Ｂの両側縁１７ｂ，１７ｃを当接（Ｅ２、Ｅ３）させるようにしても
よい（第４の実施の形態）。
【００３８】
上記構成によれば、位置決め孔１２の内側面に略Ｖ字状に形成した両傾斜面１２ａに対
して位置決め片１７の中央部１７Ｂの両側縁１７ｂ，１７ｃを食い込むように当接（Ｅ２
、Ｅ３）させるので、その２つの当接点Ｅ２，Ｅ３で基板部８を確実に押さえることがで
きる。
【図面の簡単な説明】
【００３９】
【図１】本考案の第１の実施の形態である磁気ヘッド装置を示す平面図である。
【図２】図１のＡ−Ａ矢視図である。
【図３】同分解斜視図である。
【図４】（ａ）は同要部の平面図、（ｂ）は同要部の縦断面図である。
【図５】（ａ）は本考案の第２の実施の形態である磁気ヘッド装置の要部を示す平面図、（ｂ）は同要部の縦断面図である。
【図６】（ａ）は本考案の第３の実施の形態である磁気ヘッド装置の要部を示す平面図、（ｂ）は同要部の縦断面図、（ｃ）は同要部の一部切り欠き斜視図である。
【図７】本考案の第４の実施の形態である磁気ヘッド装置の要部を示す斜視図である。
【図８】従来例を示す平面図である。
【図９】図８のＢ−Ｂ矢視図である。
【図１０】（ａ）は図８のＣ−Ｃ矢視図、（ｂ）は同組立ミス状態の縦断面図である。
【図１１】同分解斜視図である。
【符号の説明】
【００４０】
１，２          磁気ヘッド
３              支持板
４              固定板
４ａ，４ｂ      脚部
５              調整ねじ
６              調整ばね
７              係合片
８              基板部
９              ビス挿通孔
９ａ            ビス挿通孔のテーパ面
１０            リング状位置決め部
１１            シャーシ
１２            位置決め孔
１２ａ          位置決め孔の傾斜面
１３            係合孔
１４            ねじ孔
１５            ビス
１５Ａ          ビス軸体
１５Ｂ          ビス頭部
１５ａ          雄ねじ部
１５ｂ          円柱部
１５ｃ          頭部傾斜面
１７            位置決め片（位置決め部）
１７Ａ          位置決め片の後端部
１７Ｂ          位置決め片の中央部
１７Ｃ          位置決め片の係合部
１７ａ          係合部の先端縁
１７ｂ，１７ｃ  中央部の側縁
ａ，ｂ          左右方向
ｃ，ｄ          前後方向
【図１】
0003104034.tif 000003
【図２】
0003104034.tif 000004
【図３】
0003104034.tif 000005
【図４】
0003104034.tif 000006
【図５】
0003104034.tif 000007
【図６】
0003104034.tif 000008
【図７】
0003104034.tif 000009
【図８】
0003104034.tif 000010
【図９】
0003104034.tif 000011
【図１０】
0003104034.tif 000012
【図１１】
0003104034.tif 000013